(57)【要約】【課題】載置台を伸縮させる機構を簡素化する。【解決手段】媒体搬送装置が設けられた画像読取装置１は、第１シュータ部材６と第２シュータ部材７と第３シュータ部材８とを備えている。第１シュータ部材６は、媒体が載置される第１シュータ載置面１１が形成され、回転軸１２を中心に回転可能に画像読取装置本体２に支持されている。第２シュータ部材７は、回転軸１２と異なる回転軸１４を中心に回転可能に画像読取装置本体２に支持されている。第３シュータ部材８は、媒体が載置される第２シュータ載置面１５が形成され、回転軸１４と異なる回転軸１６を中心に回転可能に第２シュータ部材７に支持され、並進可能に第１シュータ部材６に支持されている。【選択図】図１
2020142907.tif 000002
【特許請求の範囲】
【請求項１】
媒体が載置される第１載置面が形成され、第１回転軸を中心に回転可能に本体に支持される第１部材と、
前記第１回転軸と異なる第２回転軸を中心に回転可能に前記本体に支持される第２部材と、
前記媒体が載置される第２載置面が形成され、前記第２回転軸と異なる第３回転軸を中心に回転可能に前記第２部材に支持され、並進可能に前記第１部材に支持される第３部材
とを備える媒体搬送装置。
【請求項２】
前記第１部材は、展開位置または格納位置に配置され、
前記第３部材は、
前記第１部材が前記展開位置に配置されるときに前記第２載置面が前記第１載置面より前記第１回転軸から遠い側に配置されるように配置され、
前記第１部材が前記格納位置に配置されるときに前記第２載置面が前記第１載置面に重なるように配置される
請求項１に記載の媒体搬送装置。
【請求項３】
前記第１載置面と前記第２載置面とに載置された媒体を搬送路に繰り出す分離部
をさらに備える請求項１または請求項２に記載の媒体搬送装置。
【請求項４】
前記第１部材は、前記第１部材に対して前記第３部材が並進する並進方向に平行である複数の第１摺動面が形成され、
前記第３部材は、前記第３部材が前記第１部材に対して並進するときに、前記複数の第１摺動面をそれぞれ滑る複数の第２摺動面が形成される
請求項１から請求項３のいずれか一項に記載の媒体搬送装置。
【請求項５】
前記第２部材は、前記媒体を搬送する搬送部を覆うように配置される
請求項１から請求項３のいずれか一項に記載の媒体搬送装置。
【請求項６】
前記第２部材は、
前記第２回転軸を中心に回転可能に前記本体に支持される第４部材と、
前記第２回転軸と前記第３回転軸とに異なる第４回転軸を中心に回転可能に前記第４部材に支持される第５部材とを有し、
前記第３部材は、前記第３回転軸を中心に回転可能に前記第５部材に支持される
請求項１から請求項５のいずれか一項に記載の媒体搬送装置。
【請求項７】
前記媒体が載置される第３載置面が形成され、並進可能に前記第３部材に支持される延長部材と、
前記第３部材が前記第１部材に対して並進することに連動して、前記延長部材を前記第３部材に対して並進させる機構
とをさらに備える請求項１から請求項６のいずれか一項に記載の媒体搬送装置。
【発明の詳細な説明】
【技術分野】
【０００１】
本開示の技術は、媒体搬送装置に関する。
【背景技術】
【０００２】
コンパクトな空間に格納されるように、原稿が載置される載置台が開閉可能に設けられている画像読取装置が知られている（特許文献１、２参照）。長尺である原稿が載置台に適切に載置されるように、開閉可能である載置台がさらに延伸可能に形成されている画像読取装置がさらに知られている（特許文献３参照）。載置台が開閉するときに、載置台を自動的に伸縮させる画像読取装置がさらに知られている（特許文献４参照）。
【先行技術文献】
【特許文献】
【０００３】
【特許文献１】特開２０１２−１８５２０８号公報
【特許文献２】特開２０１６−８４２３３号公報
【特許文献３】特開２０１４−１２９１６０号公報
【特許文献４】国際公開第２０１８／１３１０９２号
【発明の概要】
【発明が解決しようとする課題】
【０００４】
しかしながら、このような画像読取装置は、載置台の開閉に連動して載置台を伸縮させる機構が複雑であることにより発生する不具合を招いてしまうという問題がある。その不具合としては、画像読取装置の製造コストの増加、その機構に設けられる歯車の歯飛びなどの機構の損傷が例示される。
【０００５】
開示の技術は、載置台を伸縮させる機構を簡素化する媒体搬送装置を提供することを目的とする。
【課題を解決するための手段】
【０００６】
実施形態の一態様における媒体搬送装置は、媒体が載置される第１載置面が形成され、第１回転軸を中心に回転可能に本体に支持される第１部材と、前記第１回転軸と異なる第２回転軸を中心に回転可能に前記本体に支持される第２部材と、前記媒体が載置される第２載置面が形成され、前記第２回転軸と異なる第３回転軸を中心に回転可能に前記第２部材に支持され、並進可能に前記第１部材に支持される第３部材とを備えている。
【発明の効果】
【０００７】
開示の媒体搬送装置は、載置台を伸縮させる機構を簡素化することができる。
【図面の簡単な説明】
【０００８】
【図１】図１は、実施例の媒体搬送装置が設けられた画像読取装置を示す斜視図である。
【図２】図２は、シュータと分離部とを示す側断面図である。
【図３】図３は、第１シュータ部材がシュータ格納位置に配置されたときの画像読取装置を示す斜視図である。
【図４】図４は、第１シュータ部材がシュータ格納位置に配置されたときのシュータと分離部とを示す側断面図である。
【図５】図５は、シュータ展開位置とシュータ格納位置との間の回転途中位置に第１シュータ部材が配置されたときの画像読取装置を示す斜視図である。
【図６】図６は、回転途中位置に第１シュータ部材が配置されたときのシュータと分離部とを示す側断面図である。
【図７】図７は、実施例２の媒体搬送装置が設けられている画像読取装置を示す斜視図である。
【図８】図８は、第１スタッカ部材がスタッカ格納位置に配置されたときの画像読取装置を示す斜視図である。
【図９】図９は、スタッカ展開位置とスタッカ格納位置との間の回転途中位置に第１スタッカ部材が配置されたときの画像読取装置を示す斜視図である。
【図１０】図１０は、実施例３の媒体搬送装置が設けられた画像読取装置を示す斜視図である。
【図１１】図１１は、シュータ格納位置に第１シュータ部材が配置されたときの画像読取装置を示す斜視図である。
【図１２】図１２は、実施例４の媒体搬送装置が設けられた画像読取装置を示す斜視図である。
【図１３】図１３は、第１シュータ部材がシュータ展開位置に配置されるときの画像読取装置を示す斜視図である。
【図１４】図１４は、第１シュータ部材がシュータ展開位置に配置されるときの画像読取装置を示す他の斜視図である。
【図１５】図１５は、第１シュータ部材がシュータ格納位置に配置されるときの画像読取装置を示す側面図である。
【図１６】図１６は、第１シュータ部材がシュータ格納位置に配置されるときの画像読取装置を示す斜視図である。
【図１７】図１７は、第１シュータ部材がシュータ格納位置に配置されるときの画像読取装置を示す他の斜視図である。
【図１８】図１８は、実施例５の媒体搬送装置が設けられた画像読取装置のシュータを示す正面図である。
【図１９】図１９は、第３シュータ部材が短縮位置に配置されているときのシュータを示す正面図である。
【発明を実施するための形態】
【０００９】
以下に、本願が開示する実施形態にかかる媒体搬送装置について、図面を参照して説明する。なお、以下の記載により本開示の技術が限定されるものではない。また、以下の記載においては、同一の構成要素に同一の符号を付与し、重複する説明を省略する。
【実施例１】
【００１０】
［画像読取装置］
実施例１の媒体搬送装置は、図１に示されているように、画像読取装置１に設けられている。図１は、実施例の媒体搬送装置が設けられた画像読取装置１を示す斜視図である。画像読取装置１は、画像読取装置本体２とシュータ３とを備えている。画像読取装置本体２は、箱型に形成され、画像読取装置１が設置される設置面に載置される。画像読取装置本体２は、給紙口５が形成されている。
【００１１】
シュータ３は、第１シュータ部材６と第２シュータ部材７と第３シュータ部材８とを備えている。第１シュータ部材６は、板状に形成され、概ね平坦である第１シュータ載置面１１が形成されている。第１シュータ部材６は、シュータ展開位置またはシュータ格納位置に配置されるように、回転軸１２を中心に回転可能に画像読取装置本体２に支持されている。回転軸１２は、画像読取装置１の設置面に沿う平面に平行である。第１シュータ載置面１１は、第１シュータ部材６がシュータ展開位置に配置されるときに、図１に示されているように、斜め上方を向いている。このとき、第１シュータ載置面１１は、第１シュータ載置面１１のうちの回転軸１２に近い側の端が、第１シュータ載置面１１のうちの回転軸１２から遠い側の端より、画像読取装置１の設置面に沿う平面に近くなるように、傾斜している。第１シュータ載置面１１は、第１シュータ部材６がシュータ展開位置に配置されるときに、さらに、第１シュータ部材６がシュータ展開位置に配置されているときに、給紙口５に接続されている。
【００１２】
シュータ３は、図示されていないストッパをさらに備えている。ストッパは、第１シュータ部材６がシュータ展開位置に配置されるときに、シュータ３が自重により回転しないように、シュータ３を画像読取装置本体２に固定する。
【００１３】
第２シュータ部材７は、板状に形成されている。第２シュータ部材７は、回転軸１４を中心に回転可能に画像読取装置本体２に支持されている。回転軸１４は、回転軸１２と平行であり、回転軸１２が配置される位置と異なる他の位置に配置されている。第３シュータ部材８は、板状に形成され、概ね平坦である第２シュータ載置面１５が形成されている。第３シュータ部材８は、第１シュータ載置面１１に沿う平面に第２シュータ載置面１５が沿うように、配置されている。第３シュータ部材８は、回転軸１６を中心に回転可能に第２シュータ部材７に支持されている。回転軸１６は、回転軸１４と平行であり、回転軸１４が配置される位置と異なる他の位置に配置されている。
【００１４】
画像読取装置１は、図示されていない搬送部と読取部とスキャンボタンとをさらに備えている。搬送部は、図２に示されているように、分離部１７を備えている。図２は、シュータ３と分離部１７とを示す側断面図である。分離部１７は、画像読取装置本体２の内部のうちの給紙口５の近傍に配置されている。分離部１７は、第１シュータ部材６がシュータ展開位置に配置されるときに、分離部１７が外部に露出しないように、第２シュータ部材７に覆われている。搬送部は、画像読取装置本体２の内部に搬送路を形成している。搬送路の一端は、給紙口５に接続され、搬送路の他端は、画像読取装置本体２に形成される排出口（図示されていない）に接続されている。読取部は、画像読取装置本体２の内部のうちの搬送路の近傍に配置されている。スキャンボタンは、画像読取装置本体２に設けられている。
【００１５】
分離部１７は、給紙口５から１つの媒体が挿入されるときに、給紙口５から挿入される１つの媒体に接触する。分離部１７は、スキャンボタンが押下されたときに、その接触する１つの媒体を搬送路に繰り出す。分離部１７は、給紙口５から複数の媒体が挿入されるときに、給紙口５から挿入される複数の媒体に接触する。分離部１７は、スキャンボタンが押下されたときに、その接触する複数の媒体から１つの媒体を分離し、その分離された１つの媒体を搬送路に繰り出す。搬送部は、分離部１７によりに繰り出された１つの媒体を、搬送路に沿って搬送し、排出口から排出する。読取部は、搬送路に沿って搬送される１つの媒体の画像を撮像する。
【００１６】
シュータ３は、ガイドピン１８をさらに備えている。ガイドピン１８は、第３シュータ部材８に固定されている。第１シュータ部材６は、溝１９が形成されている。溝１９は、伸縮方向２０に平行である直線に沿うように形成されている。伸縮方向２０は、第１シュータ載置面１１に沿う平面に平行であり、回転軸１２に垂直である。ガイドピン１８は、溝１９に嵌め込まれ、溝１９に沿って移動可能に第１シュータ部材６に支持されている。第３シュータ部材８は、ガイドピン１８が溝１９に嵌め込まれることにより、延伸位置または短縮位置に配置されるように、伸縮方向２０に平行に並進可能に第１シュータ部材６に支持されている。
【００１７】
第１シュータ部材６に対して第３シュータ部材８が配置される位置は、第３シュータ部材８が第１シュータ部材６と第２シュータ部材７とにこのように支持されていることにより、画像読取装置本体２に対して第１シュータ部材６が配置される位置に応じて決定する。たとえば、第３シュータ部材８は、第１シュータ部材６がシュータ展開位置に配置されたときに、図２に示されているように、延伸位置に配置される。第２シュータ載置面１５は、第３シュータ部材８が延伸位置に配置されるときに、第１シュータ載置面１１より回転軸１２から遠い側に配置されている。また、第３シュータ部材８のうちの回転軸１２から遠い側の端２１は、第３シュータ部材８が延伸位置に配置されるときに、第１シュータ部材６のうちの回転軸１２から遠い側の端２２より回転軸１２から遠い側に配置されている。
【００１８】
図３は、第１シュータ部材６がシュータ格納位置に配置されたときの画像読取装置１を示す斜視図である。図４は、第１シュータ部材６がシュータ格納位置に配置されたときのシュータ３と分離部１７とを示す側断面図である。第１シュータ部材６の第１シュータ載置面１１は、第１シュータ部材６がシュータ格納位置に配置されたときに、下側を向き、画像読取装置本体２の上面に対向する。給紙口５と分離部１７とは、第１シュータ部材６がシュータ格納位置に配置されるときに、給紙口５と分離部１７とが外部に露出しないように、第２シュータ部材７に覆われている。
【００１９】
第３シュータ部材８は、第１シュータ部材６がシュータ格納位置に配置されたときに、短縮位置に配置される。第３シュータ部材８の第２シュータ載置面１５は、第３シュータ部材８が短縮位置に配置されたときに、第１シュータ部材６の第１シュータ載置面１１に重なる。また、第３シュータ部材８の端２１は、第３シュータ部材８が短縮位置に配置されるときに、第１シュータ部材６の端２２の近傍に配置されている。すなわち、シュータ３は、第１シュータ部材６がシュータ格納位置からシュータ展開位置に移動することにより、延伸し、シュータ３は、第１シュータ部材６がシュータ展開位置からシュータ格納位置に移動することにより、短縮する。
【００２０】
図５は、シュータ展開位置とシュータ格納位置との間の回転途中位置に第１シュータ部材６が配置されたときの画像読取装置１を示す斜視図である。図６は、回転途中位置に第１シュータ部材６が配置されたときのシュータ３と分離部１７とを示す側断面図である。第１シュータ部材６は、第１シュータ部材６がシュータ展開位置とシュータ格納位置との間を移動するときに、回転途中位置に配置される。第３シュータ部材８は、第１シュータ部材６が回転途中位置に配置されるときに、短縮位置と延伸位置との間の並進途中位置に配置される。
【００２１】
［画像読取装置１の動作］
ユーザは、まず、第１シュータ部材６をシュータ展開位置に向かって回転させ、第１シュータ部材６をシュータ展開位置に配置する。第３シュータ部材８は、第３シュータ部材８が第１シュータ部材６と第２シュータ部材７とに支持されていることにより、第１シュータ部材６がシュータ展開位置に向かって回転するときに、延伸位置に向かって移動する。第３シュータ部材８は、第１シュータ部材６がシュータ展開位置に配置されると、延伸位置に配置される。シュータ３は、第３シュータ部材８が延伸位置に配置されることにより延伸される。
【００２２】
ユーザは、画像読取装置１を用いて１つの媒体の画像を読み取りたいときに、１つの媒体をシュータ３に載置し、画像読取装置１を用いて複数の媒体の画像を読み取りたいときに、複数の媒体をシュータ３に載置する。シュータ３は、延伸されることにより、第１シュータ部材６の第１シュータ載置面１１より大きい媒体が安定して載置されることができる。シュータ３に載置された媒体は、シュータ３が傾斜していることにより、自重により第１シュータ載置面１１に沿って給紙口５に向かって移動し、分離部１７に接触する。ユーザは、媒体をシュータ３に載置した後に、スキャンボタンを押下する。
【００２３】
分離部１７は、分離部１７に１つの媒体が接触している場合で、スキャンボタンが押下されたときに、その１つの媒体を搬送路に繰り出す。分離部１７は、分離部１７に複数の媒体が接触している場合で、スキャンボタンが押下されたときに、複数の媒体から１つの媒体を分離し、その分離された１つの媒体を搬送路に繰り出す。搬送部は、分離部１７に搬送路に繰り出された１つの媒体を搬送路に沿って搬送する。読取部は、搬送路に沿って搬送される１つの媒体の画像を撮像する。搬送部は、画像が撮像された媒体を排出する。
【００２４】
ユーザは、画像読取装置１を格納するときに、第１シュータ部材６をシュータ格納位置に向かって回転させ、第１シュータ部材６をシュータ格納位置に配置する。第３シュータ部材８は、第１シュータ部材６がシュータ格納位置に向かって回転されることにより、短縮位置に向かって第１シュータ部材６に対して移動する。第３シュータ部材８は、第１シュータ部材６がシュータ格納位置に配置されると、短縮位置に配置される。シュータ３は、第３シュータ部材８が短縮位置に配置されることにより短縮される。画像読取装置１は、第１シュータ部材６がシュータ格納位置に配置されているときに、シュータ３が短縮されることによりコンパクトになり、より小さいスペースに格納されることができる。
【００２５】
［実施例１の媒体搬送装置の効果］
実施例１の媒体搬送装置は、第１シュータ部材６と第２シュータ部材７と第３シュータ部材８とを備えている。第１シュータ部材６は、媒体が載置される第１シュータ載置面１１が形成され、回転軸１２を中心に回転可能に画像読取装置本体２に支持されている。第２シュータ部材７は、回転軸１２と異なる回転軸１４を中心に回転可能に画像読取装置本体２に支持されている。第３シュータ部材８は、媒体が載置される第２シュータ載置面１５が形成され、回転軸１４と異なる回転軸１６を中心に回転可能に第２シュータ部材７に支持され、並進可能に第１シュータ部材６に支持されている。
【００２６】
このとき、媒体搬送装置が設けられた画像読取装置１は、第１シュータ部材６を画像読取装置本体２に対して回転させることにより第３シュータ部材８を第１シュータ部材６に対して並進させることができる。画像読取装置１は、シュータ３に媒体が載置されない不使用時に、第１シュータ部材６を回転させることにより、シュータ３を容易に短縮させることができ、コンパクトな空間に格納することができる。画像読取装置１は、シュータ３に媒体が載置される使用時に、第１シュータ部材６を回転させることにより、シュータ３を容易に延長させることができ、シュータ３に大きな媒体が載置されることができる。画像読取装置１は、さらに、画像読取装置本体２に対する第１シュータ部材６の回転をシュータ３の伸縮に変換する機構が簡単であり、機構の損傷を防止し、製造コストを低減することができる。
【００２７】
また、実施例１の媒体搬送装置の第１シュータ部材６は、シュータ展開位置またはシュータ格納位置に配置される。第３シュータ部材８は、第１シュータ部材６がシュータ展開位置に配置されるときに第２シュータ載置面１５が第１シュータ載置面１１より回転軸１２から遠い側に配置されるように、延伸位置に配置される。第３シュータ部材８は、第１シュータ部材６がシュータ格納位置に配置されるときに第２シュータ載置面１５が第１シュータ載置面１１に重なるように、短縮位置に配置される。このとき、画像読取装置１は、第１シュータ部材６がシュータ展開位置に配置されるときに、シュータ３に大きな媒体が載置されることができる。画像読取装置１は、第１シュータ部材６がシュータ格納位置に配置されるときに、シュータ３が占める空間を小さくし、コンパクトな空間に格納されることができる。
【００２８】
また、実施例１の媒体搬送装置の第１シュータ部材６は、分離部１７を覆うように配置されている。このとき、画像読取装置１は、第２シュータ部材７が搬送部を覆うことにより、搬送部に異物が進入することを防止し、搬送部の損傷を防止することができる。媒体搬送装置は、搬送部を覆う背面カバーが第２シュータ部材７と別個に設けられる必要がなく、部品点数を低減し、製造コストを低減することができる。
【００２９】
ところで、実施例１の媒体搬送装置が設けられる画像読取装置１は、シュータ３が開閉可能に、かつ、伸縮可能に形成されているが、画像読取装置１から排出される媒体が載置されるスタッカが開閉可能に、かつ、伸縮可能に形成されてもよい。
【実施例２】
【００３０】
図７は、実施例２の媒体搬送装置が設けられている画像読取装置３１を示す斜視図である。画像読取装置３１は、画像読取装置本体３２とスタッカ３３とを備えている。画像読取装置本体３２は、箱型に形成され、画像読取装置３１が設置される設置面に載置される。画像読取装置本体３２は、排出口３５が形成されている。
【００３１】
スタッカ３３は、第１スタッカ部材３６と第２スタッカ部材３７と第３スタッカ部材３８とを備えている。第１スタッカ部材３６は、板状に形成され、概ね平坦である第１スタッカ載置面４１が形成されている。第１スタッカ部材３６は、シュータ展開位置またはシュータ格納位置に配置されるように、回転軸４２を中心に回転可能に画像読取装置本体３２に支持されている。第１スタッカ載置面４１は、第１スタッカ部材３６がシュータ展開位置に配置されるときに、図７に示されているように、斜め上方を向いている。第１スタッカ載置面４１は、第１スタッカ載置面４１のうちの回転軸４２に近い側の端が、第１スタッカ載置面４１のうちの回転軸４２から遠い側の端より、画像読取装置３１の設置面に沿う平面に近くなるように、画像読取装置３１の設置面に対して傾斜している。第１スタッカ載置面４１は、第１スタッカ部材３６がスタッカ展開位置に配置されるときに、さらに、第１スタッカ部材３６がスタッカ展開位置に配置されているときに、排出口３５に接続されている。
【００３２】
スタッカ３３は、図示されていないストッパをさらに備えている。ストッパは、第１スタッカ部材３６がスタッカ展開位置に配置されるときに、スタッカ３３が自重により回転しないように、スタッカ３３を画像読取装置本体３２に固定する。
【００３３】
第２スタッカ部材３７は、板状に形成されている。第２スタッカ部材３７は、回転軸４４を中心に回転可能に画像読取装置本体３２に支持されている。第３スタッカ部材３８は、板状に形成され、概ね平坦である第２スタッカ載置面４５が形成されている。第３スタッカ部材３８は、第１スタッカ載置面４１に沿う平面に第２スタッカ載置面４５が沿うように、配置されている。第３スタッカ部材３８は、回転軸４６を中心に回転可能に第２スタッカ部材３７に支持されている。第３スタッカ部材３８は、回転軸４６を中心に回転可能に第２スタッカ部材３７に支持されている。第３スタッカ部材３８は、延伸位置または短縮位置に配置されるように、伸縮方向４７に平行に並進可能に第１スタッカ部材３６に支持されている。
【００３４】
第１スタッカ部材３６に対して第３スタッカ部材３８が配置される位置は、第３スタッカ部材３８が第１スタッカ部材３６と第２スタッカ部材３７とに支持されることにより、画像読取装置本体３２に対して第１スタッカ部材３６が配置される位置に応じて決定する。たとえば、第３スタッカ部材３８は、第１スタッカ部材３６がスタッカ展開位置に配置されたときに、図１に示されているように、延伸位置に配置される。第２スタッカ載置面４５は、第３スタッカ部材３８が延伸位置に配置されるときに、第１スタッカ載置面４１より回転軸４２から遠い側に配置されている。また、第３スタッカ部材３８のうちの回転軸４２から遠い側の端４８は、第３スタッカ部材３８が延伸位置に配置されるときに、第１スタッカ部材３６のうちの回転軸４２から遠い側の端４９より回転軸４２から遠い側に配置されている。
【００３５】
図８は、第１スタッカ部材３６がスタッカ格納位置に配置されたときの画像読取装置３１を示す斜視図である。第１スタッカ部材３６の第１スタッカ載置面４１は、第１スタッカ部材３６がスタッカ格納位置に配置されたときに、斜め下側を向き、画像読取装置本体２の上面に対向する。排出口３５は、第１スタッカ部材３６がスタッカ格納位置に配置されるときに、排出口３５が外部に露出しないように、第２スタッカ部材３７に覆われている。
【００３６】
第３スタッカ部材３８は、第１スタッカ部材３６がスタッカ格納位置に配置されたときに、短縮位置に配置される。第３スタッカ部材３８の第２スタッカ載置面４５は、第３スタッカ部材３８が短縮位置に配置されたときに、第１スタッカ部材３６の第１スタッカ載置面４１に重なる。また、第３スタッカ部材３８の端４８は、第３スタッカ部材３８が短縮位置に配置されるときに、第１スタッカ部材３６の端４９の近傍に配置されている。すなわち、スタッカ３３は、第１スタッカ部材３６がスタッカ格納位置からスタッカ展開位置に移動することにより、延伸し、スタッカ３３は、第１スタッカ部材３６がスタッカ展開位置からスタッカ格納位置に移動することにより、短縮する。
【００３７】
図９は、スタッカ展開位置とスタッカ格納位置との間の回転途中位置に第１スタッカ部材３６が配置されたときの画像読取装置３１を示す斜視図である。第１スタッカ部材３６は、第１スタッカ部材３６がスタッカ展開位置とスタッカ格納位置との間を移動するときに、回転途中位置に配置される。第３スタッカ部材３８は、第１スタッカ部材３６が回転途中位置に配置されるときに、短縮位置と延伸位置との間の並進途中位置に配置される。
【００３８】
［画像読取装置３１の動作］
ユーザは、画像読取装置３１を用いて複数の媒体の画像を読み取りたいときに、まず、第１スタッカ部材３６をスタッカ展開位置に向かって回転させ、第１スタッカ部材３６をスタッカ展開位置に配置する。第３スタッカ部材３８は、第３スタッカ部材３８が第１スタッカ部材３６と第２スタッカ部材３７とに支持されていることにより、第１スタッカ部材３６がスタッカ展開位置に向かって回転するときに、延伸位置に向かって移動する。第３スタッカ部材３８は、第１スタッカ部材３６がスタッカ展開位置に配置されると、延伸位置に配置される。スタッカ３３は、第３スタッカ部材３８が延伸位置に配置されることにより延伸される。
【００３９】
ユーザは、画像読取装置３１を用いて媒体の画像を読み取りたいときに、媒体を給紙口に挿入する。画像読取装置３１は、給紙口に挿入された媒体を搬送路に沿って搬送し、搬送路に沿って搬送される１つの媒体の画像を撮像する。画像読取装置３１は、画像が撮像された媒体を排出口３５から排出し、画像が撮像された媒体をスタッカ３３に載置する。画像読取装置３１は、スタッカ３３が延伸されていることにより、第１スタッカ部材３６の第１スタッカ載置面４１より大きな媒体がスタッカ３３に安定して載置されることができる。
【００４０】
ユーザは、画像読取装置３１を格納するときに、第１スタッカ部材３６をスタッカ格納位置に向かって回転させ、第１スタッカ部材３６をスタッカ格納位置に配置する。第３スタッカ部材３８は、第１スタッカ部材３６がスタッカ格納位置に向かって回転されることにより、短縮位置に向かって第１スタッカ部材３６に対して移動する。第３スタッカ部材３８は、第１スタッカ部材３６がスタッカ格納位置に配置されると、短縮位置に配置される。スタッカ３３は、第３スタッカ部材３８が短縮位置に配置されることにより短縮される。画像読取装置３１は、第１スタッカ部材３６がスタッカ格納位置に配置されているときに、スタッカ３３が短縮されることによりコンパクトになり、より小さいスペースに格納されることができる。
【００４１】
画像読取装置３１は、第１スタッカ部材３６の回転をスタッカ３３の伸縮に変換する機構が簡単であり、損傷を防止し、製造コストを低減することができる。
【実施例３】
【００４２】
実施例３の媒体搬送装置が設けられた画像読取装置５１は、図１０に示されているように、既述の実施例１の媒体搬送装置のシュータ３が他のシュータ５２に置換されている。図１０は、実施例３の媒体搬送装置が設けられた画像読取装置５１を示す斜視図である。シュータ５２は、既述のシュータ３の第１シュータ部材６と第３シュータ部材８とが他の第１シュータ部材５３と第３シュータ部材５４とにそれぞれ置換され、他の部分は、既述のシュータ３と同じである。第１シュータ部材５３は、既述の第１シュータ部材６と同様に、第１シュータ載置面１１が形成され、シュータ展開位置またはシュータ格納位置に配置されるように、回転軸１２を中心に回転可能に画像読取装置本体２に支持されている。第１シュータ部材５３は、第１レールガイド５５がさらに形成されている。第１レールガイド５５は、複数の第１摺動面５６が形成されている。複数の第１摺動面５６は、それぞれ、伸縮方向２０に平行である複数の平面に沿うように、形成されている。
【００４３】
第３シュータ部材５４は、既述の第２シュータ部材７と同様に、第２シュータ載置面１５が形成され、回転軸１６を中心に回転可能に第２シュータ部材７に支持されている。第３シュータ部材５４は、第２レールガイド５７がさらに形成されている。第２レールガイド５７は、複数の第２摺動面５８が形成されている。複数の第２摺動面５８は、それぞれ、伸縮方向２０に平行である複数の平面に沿うように、形成されている。第２レールガイド５７は、複数の第２摺動面５８が複数の第１摺動面５６にそれぞれ対向するように、第１レールガイド５５に嵌め込まれている。第３シュータ部材５４は、第２レールガイド５７が第１レールガイド５５に嵌め込まれることにより、延伸位置または短縮位置に配置されるように、伸縮方向２０に平行に並進可能に第１シュータ部材５３に支持されている。第３シュータ部材５４は、複数の第２摺動面５８が複数の第１摺動面５６を滑ることにより、第１シュータ部材５３に対して伸縮方向２０に平行に並進する。
【００４４】
第３シュータ部材５４は、既述の第３シュータ部材８と同様に、第１シュータ部材５３がシュータ展開位置に配置されるときに、延伸位置に配置される。第３シュータ部材５４は、既述の第３シュータ部材８と同様に、第１シュータ部材５３がシュータ格納位置に配置されるときに、図１１に示されているように、短縮位置に配置される。図１１は、シュータ格納位置に第１シュータ部材５３が配置されたときの画像読取装置５１を示す斜視図である。
【００４５】
画像読取装置５１は、既述の画像読取装置１と同様に動作し、第１シュータ部材５３の回転をシュータ５２の伸縮に変換する機構が簡単であり、機構の損傷を防止し、製造コストを低減することができる。画像読取装置５１は、第１レールガイド５５と第２レールガイド５７とが形成され、複数の第１摺動面５６と複数の第２摺動面５８とが面接触していることにより、第３シュータ部材５４が第１シュータ部材５３に支持されている。画像読取装置５１は、第３シュータ部材５４が第１シュータ部材５３に面接触により支持されていることにより、既述の画像読取装置１に比較して、第３シュータ部材５４の支持構造の強度が向上し、その支持構造の破損を防止することができる。
【実施例４】
【００４６】
実施例４の媒体搬送装置が設けられた画像読取装置６１は、図１２に示されているように、既述の実施例１の媒体搬送装置のシュータ３が他のシュータ６２に置換されている。図１２は、実施例４の媒体搬送装置が設けられた画像読取装置６１を示す斜視図である。シュータ６２は、既述のシュータ３の第２シュータ部材７が他の第２シュータ部材６３に置換され、他の部分は、既述のシュータ３と同じである。第２シュータ部材６３は、第４シュータ部材６４と第５シュータ部材６５とを備えている。第４シュータ部材６４は、板状に形成され、回転軸１４を中心に回転可能に画像読取装置本体２に支持されている。第５シュータ部材６５は、板状に形成され、回転軸６６を中心に回転可能に第４シュータ部材６４に支持されている。回転軸６６は、回転軸１４と平行であり、回転軸１４が配置される位置と異なる他の位置に配置されている。シュータ６２は、図示されていないストッパをさらに備えている。ストッパは、第４シュータ部材６４に対して第５シュータ部材６５が回転する範囲を制限している。
【００４７】
図１３は、第１シュータ部材６がシュータ展開位置に配置されるときの画像読取装置６１を示す斜視図である。図１４は、第１シュータ部材６がシュータ展開位置に配置されるときの画像読取装置６１を示す他の斜視図である。シュータ６２は、第２シュータ部材６３がこのように形成された場合でも、既述のシュータ３と同様に、第１シュータ部材６がシュータ展開位置に配置されるときに、第３シュータ部材８が延伸位置に配置される。
【００４８】
図１５は、第１シュータ部材６がシュータ格納位置に配置されるときの画像読取装置６１を示す側面図である。図１６は、第１シュータ部材６がシュータ格納位置に配置されるときの画像読取装置６１を示す斜視図である。図１７は、第１シュータ部材６がシュータ格納位置に配置されるときの画像読取装置６１を示す他の斜視図である。シュータ６２は、第２シュータ部材６３がこのように形成された場合でも、既述のシュータ３と同様に、第１シュータ部材６がシュータ格納位置に配置されるときに、第３シュータ部材８が短縮位置に配置される。
【００４９】
画像読取装置６１は、既述の画像読取装置１と同様に動作し、第１シュータ部材５３の回転をシュータ６２の伸縮に変換する機構が簡単であり、機構の損傷を防止し、製造コストを低減することができる。画像読取装置６１は、第４シュータ部材６４と第５シュータ部材６５とを備えることにより、第２シュータ部材６３が画像読取装置６１の他の部品と干渉することを防止することができ、既述の画像読取装置１に比較して、機構の損傷をより防止することができる。
【実施例５】
【００５０】
実施例５の媒体搬送装置が設けられた画像読取装置のシュータ７１は、図１８に示されているように、既述のシュータ３に延長部材７２と伸縮機構７３とが追加され、他の部分は、既述のシュータ３と同じである。図１８は、実施例５の媒体搬送装置が設けられた画像読取装置のシュータ７１を示す正面図である。延長部材７２は、板状に形成され、概ね平坦である第３シュータ載置面７４が形成されている。延長部材７２は、第２シュータ載置面１５に沿う平面に第３シュータ載置面７４が沿うように配置され、延伸位置または短縮位置に配置されるように、伸縮方向２０に平行に並進可能に第３シュータ部材８に支持されている。
【００５１】
伸縮機構７３は、複数のギア７５と第１ラック７６と第２ラック７７とを備えている。複数のギア７５は、互いに噛み合い、それぞれ回転可能に第３シュータ部材８に支持されている。第１ラック７６は、伸縮方向２０に平行である直線に沿うように配置され、第１シュータ部材６に固定されている。第１ラック７６は、複数のギア７５のうちの１つのギア７８に噛み合っている。第２ラック７７は、伸縮方向２０に平行である直線に沿うように配置され、延長部材７２に固定されている。第２ラック７７は、複数のギア７５のうちの１つのギア７９に噛み合っている。伸縮機構７３は、第３シュータ部材８が延伸位置に配置されているときに、延長部材７２が延伸位置に配置されるように、形成されている。
【００５２】
複数のギア７５は、ギア７８が第１ラック７６と噛み合っていることにより、第３シュータ部材８が第１シュータ部材６に対して移動することにより、回転する。延長部材７２は、ギア７９が第２ラック７７と噛み合っていることにより、複数のギア７５が回転することにより、第１シュータ部材６に対して伸縮方向２０に平行に並進する。図１９は、第３シュータ部材８が短縮位置に配置されているときのシュータ７１を示す正面図である。延長部材７２は、第３シュータ部材８が短縮位置に配置されているときに、短縮位置に配置されている。すなわち、伸縮機構７３は、第３シュータ部材８が短縮位置に配置されているときに、延長部材７２が短縮位置に配置されるように、形成されている。
【００５３】
実施例５の媒体搬送装置が設けられた画像読取装置は、既述の画像読取装置１と同様に動作し、第１シュータ部材６の回転をシュータ７１の伸縮に変換する機構が簡単であり、機構の損傷を防止し、製造コストを低減することができる。シュータ７１は、延長部材７２と伸縮機構７３とを備えることにより、既述の画像読取装置１に比較して、より長く延伸することができ、より大きい媒体が安定して載置されることができる。
【００５４】
ところで、既述の媒体搬送装置は、画像読取装置に利用されているが、他の装置に利用されてもよい。その装置としては、プリンタが例示される。たとえば、媒体搬送装置は、プリンタに利用されるときに、媒体に図形を印刷する印刷部に読取部が置換される。媒体搬送装置は、画像読取装置と異なる装置に利用された場合でも、媒体が載置される載置台を伸縮させる機構を簡素化することができ、機構の損傷を防止し、製造コストを低減することができる。
【００５５】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００５６】
１      ：画像読取装置
２      ：画像読取装置本体
３      ：シュータ
６      ：第１シュータ部材
７      ：第２シュータ部材
８      ：第３シュータ部材
１１    ：第１シュータ載置面
１２    ：回転軸
１４    ：回転軸
１５    ：第２シュータ載置面
１６    ：回転軸
１７    ：分離部
３１    ：画像読取装置
３２    ：画像読取装置本体
３３    ：スタッカ
３６    ：第１スタッカ部材
３７    ：第２スタッカ部材
３８    ：第３スタッカ部材
４１    ：第１スタッカ載置面
４２    ：回転軸
４４    ：回転軸
４５    ：第２スタッカ載置面
４６    ：回転軸
５１    ：画像読取装置
５２    ：シュータ
５３    ：第１シュータ部材
５４    ：第３シュータ部材
５５    ：第１レールガイド
５６    ：複数の第１摺動面
５７    ：第２レールガイド
５８    ：複数の第２摺動面
６１    ：画像読取装置
６２    ：シュータ
６３    ：第２シュータ部材
６４    ：第４シュータ部材
６５    ：第５シュータ部材
６６    ：回転軸
７１    ：シュータ
７２    ：延長部材
７３    ：伸縮機構
７４    ：第３シュータ載置面
【図１】
2020142907.tif 000003
【図２】
2020142907.tif 000004
【図３】
2020142907.tif 000005
【図４】
2020142907.tif 000006
【図５】
2020142907.tif 000007
【図６】
2020142907.tif 000008
【図７】
2020142907.tif 000009
【図８】
2020142907.tif 000010
【図９】
2020142907.tif 000011
【図１０】
2020142907.tif 000012
【図１１】
2020142907.tif 000013
【図１２】
2020142907.tif 000014
【図１３】
2020142907.tif 000015
【図１４】
2020142907.tif 000016
【図１５】
2020142907.tif 000017
【図１６】
2020142907.tif 000018
【図１７】
2020142907.tif 000019
【図１８】
2020142907.tif 000020
【図１９】
2020142907.tif 000021